(57)【特許請求の範囲】
【請求項１】
ブロック本体の前壁面寄りに配設された植栽ポットから連続して上面が開放した受け溝状に形成されたバイパス部を、その後端開口部がブロック本体後壁面側に位置するよう延設されてなる擁壁ブロックにおいて、
該バイパス部の植栽ポットとの境界から後端開口部までの間に貯水ポットを備えてなることを特徴とする緑化擁壁ブロック。
【請求項２】
バイパス部は、その後端開口部に連続して接続される上面が開放した受け溝状に形成された延長バイパス部を備えてなる請求項１記載の緑化擁壁ブロック。
【発明の詳細な説明】
【技術分野】
【０００１】
本発明は、地山を切除した法面や切り通し面、河川岸壁面等に設置され、これら壁面を保護しながら緑化する擁壁ブロックの改良に関するものである。
【背景技術】
【０００２】
ブロック前面に棚状の植栽スペースを設けた擁壁ブロックや護岸ブロックは、従来から多種多様なものが提案されている。例えば、特許文献１に係る植栽用擁壁ブロックは、ブロック前面に段部を階段状に複数段形成したもので、現場打ちにより形成した基礎コンクリート上にブロックを据え付けた後、ブロックの背面側を土で埋め戻して地山との一体化を図ることとしている。土が充填された階段状の段部内が植栽ポットとして機能し、植物の根の張りが良好な植栽用擁壁ブロックとすることができる旨が開示されている。
【０００３】
確かに、こうした擁壁背面側が地山と連続するように設置した擁壁ブロックでは、植栽ポットに植えられた樹木や植物の根が直接地山に活着するから良好な植生が期待できるのであるが、反面、地山の地質によっては十分な排水が行えず、水圧が作用して擁壁・護岸面が崩壊してしまう危険性もあった。
【０００４】
すなわち、従来の一般的な緑化擁壁ブロックでは、ブロック後壁面に開口部を設けつつも、ブロック背面に砕石などの透水性の高い材料を裏込め材として層状に投入し、かつ、これら裏込め材と擁壁ブロック背面との間に吸い出し防止材を介在させるよう設置するのが通例となっている（特許文献２）。ところが、こうした施工方法においては、とくに擁壁ブロックが高温となる夏季には植栽ポット内の水分が蒸発してしまい、植物の生育が妨げられ、場合によっては枯死してしまう欠点があった。
【０００５】
そこで、植栽ポット内への給水を図るべく、ブロック内背面側に雨水の集水・給水室を別途に設けておき、当該集水・給水室と客土を充填した植栽ポット内とをロープで連結することにより、ロープの毛細管現象を利用して植栽ポット内に対して雨水の供給を図る植生用ブロックが提案されている（特許文献３）。この植生用ブロックでは、ブロック背面側に砕石等の裏込め材を用いて透水性を確保しつつも、普段からブロック内の集水・給水室内に溜め置きしておいた雨水を植栽ポットへ供給しながら植物の良好な成育による緑化を図ることができることになる。
【０００６】
【特許文献１】特開平１０−８４８０号公報（請求項１、図５）
【特許文献２】特開２００３−３１３８８９号公報（[0003]、図６）
【特許文献３】特開２０００−１０４２６８号公報（特許請求の範囲）
【発明の開示】
【発明が解決しようとする課題】
【０００７】
前記特許文献３に係る植生用ブロック等によって、緑化擁壁ブロックにおける緑化不足の原因の一つである水分不足についてはある程度改善されてきたものの、植物の十分な成育を図るためにはそもそも植栽ポット内に充填される土量が不足しているとの指摘がある。しかるに、緑化擁壁ブロック自体の大きさに制約されて植栽ポットの容積を拡大するには限界があるし、前記特許文献１のように擁壁ブロック背面側を地山と連続させてしまうと、前述のように地山の透水性を損なって擁壁自体が崩落する危険性を生じてしまう欠点があった。
【０００８】
本発明はこうした事情に鑑みてなされたものであり、その課題とするところは、従来工法どおりに裏込め材を用いて擁壁部分の透水性を確保しつつも、植栽ポット内に植生した植物成育に十分な土量確保と水分補給を可能とする緑化擁壁ブロックを提供することにある。
【課題を解決するための手段】
【０００９】
前記所期の課題解決を図るため、本発明に係る緑化擁壁ブロックでは、ブロック本体の前壁面寄りに配設された植栽ポットから連続するバイパス部を、その後端開口部がブロック本体後壁面側に位置するよう延設した。擁壁ブロックの背面側に層状に投入される裏込め材を横断し、ブロック内の植栽ポットから地山までを直接に連結するバイパス部に後述する貯水ポットや延長バイパス部を設けることで、植栽ポットに植えられた樹木等の根を地山まで十分に導くことができるようにしたのである。
【００１０】
本発明における擁壁ブロック本体は、上面が開放したボックス状のブロックなど、従来から提供されている緑化用ブロックであれば様々な形状のものを採用しうる。こうした緑化用ブロックにおける植栽ポットはできるだけその前壁面寄りに配設されるのが通例であるところ、本発明におけるバイパス部は背面地山と植栽ポットがつながるようにブロック本体の後壁面側に後端開口部が位置していればよいので、必ずしも植栽ポットの最後端からバイパス部を連続させなくてもよく、植栽ポットの左右側壁面寄りの位置や底面からバイパス部を延設することにしてもよい。また、バイパス部を２本以上に分割して横方向に並設することにしてもよい。
【００１１】
前記バイパス部は、擁壁ブロックの背面に層状に形成される裏込め材を横断して背面地山まで到達する必要上、ブロック本体後壁面側より背面地山方向に突出するように形成されるのが一般的ではあるが、バイパス部の後端開口部と同一面をなす最後壁を設けることによりバイパス部を擁壁ブロックの本体内に収めてしまい、前記後壁と植栽ポット背面の後壁面との間に裏込め材を投入保持させるよう形成してもよい。
【００１２】
また、前記バイパス部は、胴部が完全に閉塞された筒状のもののほか、擁壁内を透過する雨水を受けるように一部又は全部をポーラスコンクリートにより形成したものや、少なくとも上面にスリット長孔又は複数個の透孔等を備えた筒状のものなども採用しうるが、上面が開放した受け溝状に形成することで、施工時の土の投入が容易になるし、より一層雨水を受けやすくなる。また、ブロックを上下方向に多段に積み重ね設置することにより形成された緑化擁壁より内側に位置する裏込め材内を雨水排水が縦横無尽に流れやすくするため、バイパス部は、上面の少なくとも一部分がブロック本体上面より低い位置にあるように形成したり、底面の少なくとも一部分がブロック本体底面より高い位置にあるように形成したり、あるいは横方向に抜ける切り欠きを設けるように形成できる。
【００１３】
そして、バイパス部には、植栽ポットとの境界から後端開口部までの間、とくにその後端部分、すなわち擁壁ブロック外部の温度変化を受けにくく乾燥しにくい場所である最も背面地山に近い部分において、余剰水を蓄えるための貯水ポットを設けるのである。
【００１４】
さらに、ブロック背面に投入される裏込め材の層厚にかかわらずバイパス部の後端開口部を背面地山に到達させるべく、バイパス部の長さを適宜選択しうるように、前記バイパス部をブロック本体とは別体としつつ、ブロック本体後壁面に穿設された開口に接続されるよう構成することができる。あるいは、前述のように、バイパス部の後端開口部がブロック本体後壁面に位置するように形成しておきながら、さらにその後端開口部に接続される延長バイパスを設けるのである。
【００１５】
また、前記バイパス部は、その断面形状が底面方向に先細りとなるよう、側壁面を傾斜形成することができる。例えば、断面Ｖ字形、断面Ｕ字型などに形成しておけば、本発明に係る緑化擁壁ブロックを多段に積み重ね設置した際には、上段に位置するブロックのバイパス部の最底面と、下段に位置するブロックのバイパス部の最上面との間には、下段側に投入された土が露出するような隙間を確保することができるし、裏込め材として用いられる砕石等を上方から投入してもバイパス部の底面側にまで砕石等が回り込みやすくなるのである。
【発明の効果】
【００１６】
本発明に係る緑化擁壁ブロックでは、バイパス部を設けることによって砕石等の裏込め材層を貫通するように、ブロック前面寄りの植栽ポットから背面地山に至るまで連続した植生土を配することができるので、植物の生育に十分な土量を確保することができるし、根の成長を妨げることなく背面地山まで導いて十分に活着させることも期待できる。また、背面地山まで連続した植生土の存在は、植栽ポットを孤立させないので、背面地山からの水分供給が図られるし、バイパス部上に位置する裏込め材としての砕石等が緑化擁壁ブロックのカウンターとして作用するので、擁壁の安定性をより向上させることができる。
【００１７】
とくにバイパス部を受け溝状に形成し、その上面の少なくとも一部分をブロック本体上面より低い位置にあるようにしたり、その底面の少なくとも一部分をブロック本体底面より高い位置にあるようにしたり、あるいは横方向の切り欠きを設けることで、擁壁内側の裏込め材層内における横方向の連続した排水を確保しつつ、各バイパス部への雨水供給を可能とすることができる。ここで、バイパス部の植栽ポットとの境界から後端開口部までの間に貯水ポットを設けたので、雨水の余剰水を蓄えることができて乾燥時における植栽の立ち枯れを防ぐことができる。
【００１８】
また、バイパス部自体の長さを適宜選択したり、バイパス部の後端開口部にさらに延長バイパス部を設けた場合には、裏込め材の層厚にかかわらず、緑化擁壁ブロックの設置現場条件に応じて植栽ポットと背面地山間を確実に連続させることができる。
【００１９】
さらにまた、バイパス部の断面形状を底面方向に先細りとなるように形成すれば、ブロックを多段に積み上げ設置する際に上方から投入した砕石等がバイパス部底面側にまで回り込み易くなるので、各段毎の転圧・均しが不要となり、裏込め材設置作業の効率化を図ることができる。
【発明を実施するための最良の形態】
【００２０】
以下、図面にしたがって本発明を詳細に説明する。図１及び図２は本発明に係る緑化擁壁ブロックの基礎となる参考例を示すもので、図１は斜視図、図２(a)は同ブロックの平面図、図２(b)は同ブロックの背面図、図２(c)は同ブロックの右側面図である。図示された例のブロックでは、ブロック本体Ｂの前壁１寄りに配設された植栽ポット２から連続する２本のバイパス部３,３を、その後端開口部31,31がブロック本体Ｂから突出するように、後壁面４側から背面方向に延設している。各図に示されるように、バイパス部３は上面が開放した凹字形の受け溝状に形成されており、その突出長さは背面側の裏込め材の層厚に応じて設定される。
【００２１】
図３は、図１の例の緑化擁壁ブロックの施工状態を示す側面図である。地山Ｇを斜めに切除した法面に対して施工される緑化擁壁ブロック本体Ｂは、基礎コンクリートＫ上において多段に積み上げ設置されることになるが、従来工法どおりに、地山Ｇとブロック本体Ｂとの間には砕石等の裏込め材Ｓが層状に配設され、植栽ポット２に緑化用植物Ｐが植栽されることになる。
【００２２】
図４は、図３の施工状態にあるブロックを背面（地山側）からみた図である。ブロック本体Ｂから突出したバイパス部３には植栽ポット２内と同じように植生土Ｔが充填され背面の地山Ｇまで到達しているので、左右（水平）方向に離隔して存在するバイパス部３,３の間において各々角柱状に裏込め材Ｓが充填されることになる。
【００２３】
図５は、図４におけるＸ−Ｘ線断面図である。各ブロック本体Ｂ内に充填された植生土Ｔが植栽ポット２からバイパス部３を経て地山Ｇまで連続しているために、植栽ポット２に植えられた緑化用植物Ｐ等の植物の根P1が地山Ｇに至るまで成長している様子が示されている。
【００２４】
図６(a)ないし(d)は、先の図１に示したブロックにおけるバイパス部を背面中間位置に一つだけ設けた例を示した図である。本例のブロックは、多段に千鳥積みにすると、図７に示されるように各バイパス部３と裏込め材Ｓが上下方向に交互に位置し、バイパス部３の開放した上面にある植生土Ｔが裏込め材Ｓと接するようになるため、裏込め材Ｓ内を流下していく雨水排水が容易にバイパス部３によって受け溜められる利点がある。
【００２５】
図８(a)ないし(d)は、先の図１に示したブロックにおけるバイパス部の後端開口部と同一面をなす最後壁を設けた例を示した図である。すなわち、ブロック本体Ｂの後壁面４から延設した２本のバイパス部３,３における後端開口部31,31と同一平面をなすように最後壁51,52,53が設けられたブロックである。植栽ポット２から連続する２本のバイパス部３,３の後端開口部31,31が地山Ｇに接続される点は先の図１の例の緑化擁壁ブロックと同じであるが、前記最後壁51,52,53の存在によって、実質的にバイパス部３,３は緑化擁壁ブロック本体Ｂ内に収まってしまったような態様となり、後壁面４とバイパス部３,３そして最後壁51,52,53によって囲繞された充填用空間61,62,63内に裏込め材Ｓ
が投入保持されることになるわけである。
【００２６】
図９ないし図１０は、それぞれバイパス部上面の少なくとも一部分をブロック本体上面より低い位置にあるように形成した例を示した図である。先ず、図９(a)ないし(d)に示される緑化擁壁ブロックは、ブロック本体Ｂの前壁１寄りに配設された植栽ポット２を横長直方体状とし、当該植栽ポット２の後壁面４の下寄り２か所に設けられた開口38,38より２本に分離されたバイパス部３,３を延設している。各バイパス部３,３は、先の例と同様に上面が開放した凹字形の受け溝状に形成されているが、その側壁32の高さは植栽ポット２の高さのおよそ半分程度である。
【００２７】
次に、図１０(a)ないし(d)に示される緑化擁壁ブロックでは、こうした２本のバイパス部を１本に統合し、中央に補強壁41を立設して左右２つに区画しながらも、ブロック本体後壁面４の全幅に亘る広幅で薄いバイパス部３としている。バイパス部３における両側壁32,32や補強壁41の高さが植栽ポット２の高さの約半分程度にとどまっているため、設置時においてはバイパス部３内に充填された植生土の上に裏込め材Ｓが層状に充填されることになるので、隣接設置された緑化擁壁ブロックの裏込め材Ｓ同士が左右（水平）方向に連続することとなり、擁壁背面の雨水は横流し的に排水されながらバイパス部３内の植生土に吸収されていくことになる。したがって、本例の緑化擁壁ブロックでは、先の図１０に示された緑化擁壁ブロックに比べてバイパス部３が広い面積で雨水排水を受けられるほか、バイパス部３が植栽ポット２と接続している開口部３８も広いので緑化用植物の根を地山へと導きやすいという利点がある。
【００２８】
一方、図１１(a)ないし(d)に示される緑化擁壁ブロックは、基本形状は先の図１に示した例のブロックと同じであるが、２本のバイパス部３,３の側壁32,32を下降傾斜するようにカットしている点が相違している。したがって、これらのブロックを法面等に多段に積み重ねて設置すると、必ず上下段のバイパス部３間に隙間ができるので、裏込め材Ｓ内を流下する雨水排水がバイパス部３の存在に妨げられることなく、左右方向にも流れやすくなるのである。
【００２９】
図１２および図１３は、それぞれバイパス部底面の少なくとも一部をブロック本体底面より高い位置にあるように形成した例を示した図である。先の図９ないし図１１の例と同様に、多段設置した上下ブロックの各バイパス部３,３間に隙間を確保し、裏込め材Ｓ内を流下する雨水が左右方向にも流れやすくなるよう配慮したものである。具体的には、図１２(a)ないし(d)に示される緑化擁壁ブロックは、植栽ポット２の後壁面４の上辺２か所に設けられた切り欠きよりバイパス部３,３を延設している。各バイパス部３,３は、先の例と同様に上面が開放した凹字形の受け溝状に形成されているが、その側壁32の高さを植栽ポット２の高さのおよそ半分程度としつつ、植栽ポット２の後壁面４の上寄りに偏った位置から延設することで、バイパス部３,３の下方に空間を確保しているのである。一方、図１３(a)ないし(d)に示される緑化擁壁ブロックは、基本形状は先の図１に示した例のブロックと同じであるが、２本のバイパス部３,３の側壁32,32を上昇傾斜するようにカットしている点が相違している。
【００３０】
図１４は、バイパス部の下側において横方向に抜ける切り欠きを設けた例を示した図である。本例のブロックにあっても、上下方向に多段に積み重ねて設置した際には、千鳥積みによらなくても上下ブロックの各バイパス部３,３間において切り欠き部33に相当する隙間が確保されることになるので、裏込め材Ｓ内を流下する雨水が左右方向にも流れやすくなるわけである。具体的には、図１４(a)ないし(d)に示されるように、先の図１２に示された例の緑化擁壁ブロックにおけるバイパス部３の後端を下方に屈曲させた形状とすることで、結果的に当該バイパス部３後端屈曲部分と植栽ポット２の後壁面４との間に切り欠き部33を確保している。なお、ブロック設置時にあっては、前記切り欠き部33内に対しても裏込め材Ｓが充填されることになる。
【００３１】
図１５および図１６は、バイパス部の後端に貯水ポットを設けた本発明の実施例を示した図である。直射日光や外気の温度変化による影響を最も受けにくいバイパス部３,３の後端に、裏込め材Ｓ内を流下する雨水排水を貯留しておくための貯水ポット３６を設けて、植栽植物の根への水分供給の一助としている。具体的には、図１５(a)ないし(e)に示される実施例では、バイパス部３の後端部分に前仕切り壁34と後仕切り壁35を離隔して立設し、両仕切り壁間を貯水ポット36としている。そのため、貯水ポット36の容積は、前記各仕切り壁34,35の高さと離隔距離を調節することによって適宜設定することができる。また、図１６(a)ないし(e)に示される実施例では、先の図１４に示された緑化擁壁ブロックにおけるバイパス部３後端に仕切り壁37を立設することにより、当該仕切り壁37の内側を貯水ポット36としている。したがって、本例の緑化擁壁ブロックを多段に設置した場合には、雨水排水は、切り欠き部33を通過しながら裏込め材層内を縦横無尽に流下しつつ、貯水ポット36内にも貯留することになる。
【００３２】
図１７ないし図１９は、いずれもバイパス部の長さ調節を可能とした本発明に係る緑化擁壁ブロックを示した斜視図である。バイパス部の長さをブロック設置現場の状況に応じて伸縮させることで、植栽ポットと背面地山間を確実に連結できるようにした。具体的には、図１７に示される実施例では、植栽ポット２における後壁面４に対して２か所に切り欠き43,43を設け、これら切り欠き43,43に対して、概略Ｕ字溝状をしたバイパス部３,３を挿脱自在に嵌合している。また、図１８に示される実施例では、前記切り欠き43,43に代えて植栽ポット２の後壁面４に２か所の透孔42,42を穿設し、該透孔42,42内に概略Ｕ字溝状をしたバイパス部３,３を挿脱自在に嵌挿している。これらのバイパス部３,３は、いずれも植栽ポット２とは完全に別体となったものであるが、図１９に示される実施例のように、植栽ポット２からバイパス部３,３を延設するとともに、該バイパス部３,３に内挿した延長バイパス７,７を進退させることによって、植栽ポット２と背面地山との連結調節を可能としている。
【００３３】
図２０は、バイパス部の断面形状を底面方向に先細りとなるように形成した緑化擁壁ブロックを示した図である。図示されるように、植栽ポット２の後壁面４から延設されるバイパス部３,３を背面視略Ｖ字形に形成することで、ブロックを多段に積み上げ設置する際、上方から落下投入した裏込め材Ｓとしての砕石等がバイパス部３底面側にまで自然に回り込み易くなるので、各段毎の転圧・均し作業が不要となり、裏込め材Ｓ設置作業の効率化を図ることができるわけである。したがって、背面視略Ｖ字形とする具体的な角度については裏込め材として用いる砕石等の安息角以上の勾配に設定するのが最も望ましいことになるが、例えば側壁面を湾曲させたり多段に角度を変えて傾斜させたりなど、少なくとも砕石等がバイパス部３底面側に回り込み易い先細り形状を採用するだけでも各段毎の転圧・均し作業を軽減できることになる。
【図面の簡単な説明】
【００３４】
【図１】本発明に係る緑化擁壁ブロックの基礎となる参考例を示した斜視図である。
【図２】図１のブロックの平面図(a)、背面図(b)および右側面図(c)である。
【図３】図１の参考例の緑化擁壁ブロックの施工状態を示す側面図である。
【図４】図３の施工状態にあるブロックを背面（地山側）からみた図である。
【図５】図４におけるＸ−Ｘ線断面図である。
【図６】先の図１に示したブロックにおけるバイパス部を背面中間位置に一つだけ設けた本発明に係る緑化擁壁ブロックの基礎となる他の参考例を示した斜視図(a)、平面図(b)、背面図(c)および右側面図(d)である。
【図７】図６の参考例の緑化擁壁ブロックの施工状態をブロックの背面（地山側）からみた図である。
【図８】先の図１に示したブロックにおけるバイパス部の後端開口部と同一面をなす最後壁を設けた緑化擁壁ブロックの参考例を示した斜視図(a)、平面図(b)、背面図(c)および右側面図(d)である。
【図９】バイパス部上面の少なくとも一部分をブロック本体上面より低い位置にあるように形成した緑化擁壁ブロックの参考例を示した斜視図(a)、平面図(b)、背面図(c)および右側面図(d)である。
【図１０】バイパス部上面の少なくとも一部分をブロック本体上面より低い位置にあるように形成した緑化擁壁ブロックのさらに他の参考例を示した斜視図(a)、平面図(b)、背面図(c)および右側面図(d)である。
【図１１】バイパス部上面の少なくとも一部分をブロック本体上面より低い位置にあるように形成した緑化擁壁ブロックのさらに他の参考例を示した斜視図(a)、平面図(b)、背面図(c)および右側面図(d)である。
【図１２】バイパス部底面の少なくとも一部分をブロック本体底面より高い位置にあるように形成した緑緑化擁壁ブロックの参考例を示した斜視図(a)、平面図(b)、背面図(c)および右側面図(d)である。
【図１３】バイパス部底面の少なくとも一部分をブロック本体底面より高い位置にあるように形成した緑緑化擁壁ブロックの他の参考例を示した斜視図(a)、平面図(b)、背面図(c)および右側面図(d)である。
【図１４】バイパス部の下側において横方向に抜ける切り欠きを設けた緑化擁壁ブロックの参考例を示す斜視図(a)、平面図(b)、背面図(c)および右側面図(d)である。
【図１５】バイパス部の後端に貯水ポットを設けた本発明に係る緑化擁壁ブロックの実施例を示す斜視図(a)、平面図(b)、背面図(c)、右側面図(d)およびＹ−Ｙ線破断斜視図(e)である。
【図１６】バイパス部の後端に貯水ポットを設けた本発明に係る緑化擁壁ブロックの他の実施例を示す斜視図(a)、平面図(b)、背面図(c)、右側面図(d)およびＺ−Ｚ線破断斜視図(e)である。
【図１７】バイパス部の長さ調節を可能とした本発明に係る緑化擁壁ブロックの実施例を示した斜視図である。
【図１８】バイパス部の長さ調節を可能とした本発明に係る緑化擁壁ブロックの他の実施例を示した斜視図である。
【図１９】バイパス部の長さ調節を可能とした本発明に係る緑化擁壁ブロックのさらに他の実施例を示した斜視図である。
【図２０】バイパス部の断面形状を底面方向に先細りとなるように形成した緑化擁壁ブロックの斜視図(a)、平面図(b)、背面図(c)および右側面図(d)である。
【符号の説明】
【００３５】
１    前壁
２    植栽ポット
３    バイパス部
４    後壁面
31    後端開口部
32    バイパス部側壁
33    切り欠き部
34    前仕切り壁
35    後仕切り壁
36    貯水ポット
37    仕切り壁
38    開口
41    補強壁
42    透孔
43    切り欠き
51,52,53    最後壁
61,62,63    充填用空間
７    延長バイパス
Ｂ    ブロック本体
Ｋ    基礎コンクリート
Ｐ    緑化用植物
Ｓ    裏込め材（砕石）
Ｔ    植生土
Ｇ    地山
Ｐ１  植物の根
【図１】
0004606980.tif 000002
【図２】
0004606980.tif 000003
【図３】
0004606980.tif 000004
【図４】
0004606980.tif 000005
【図５】
0004606980.tif 000006
【図６】
0004606980.tif 000007
【図７】
0004606980.tif 000008
【図８】
0004606980.tif 000009
【図９】
0004606980.tif 000010
【図１０】
0004606980.tif 000011
【図１１】
0004606980.tif 000012
【図１２】
0004606980.tif 000013
【図１３】
0004606980.tif 000014
【図１４】
0004606980.tif 000015
【図１５】
0004606980.tif 000016
【図１６】
0004606980.tif 000017
【図１７】
0004606980.tif 000018
【図１８】
0004606980.tif 000019
【図１９】
0004606980.tif 000020
【図２０】
0004606980.tif 000021